(57)【要約】【課題】支持剛性を損なうことなく、Ｕボルトの取付位置の調整を容易に行うことができる配管支持装置を提供する。【解決手段】Ｕボルト１を用いて配管１００を支持する配管支持装置において、Ｕボルト１が固定された固定板２と、固定板２に接続されて、Ｕボルト１の奥行き方向及び高さ方向に延在する取付板４と、躯体側に固定されて、Ｕボルト１の奥行き方向及び高さ方向に延在する支持板５と、取付板４と支持板５の間に配置され、取付板４及び支持板５と共にＵボルト１の幅方向に積層された調整板６と、取付板４の貫通穴１０、調整板６の貫通穴１２、及び支持板５の貫通穴１１に連続的に挿通する複数の取付ボルト１３と、複数の取付ボルト１３に螺合する複数の取付ナット１４とを備える。【選択図】図２
2020023981.tif 000002
【特許請求の範囲】
【請求項１】
Ｕボルトを用いて配管を支持する配管支持装置において、
前記Ｕボルトの一端側のネジ部及び他端側のネジ部がそれぞれ挿通する２つの貫通穴を有する固定板と、
前記Ｕボルトの前記一端側のネジ部及び前記他端側のネジ部に螺合する複数の固定ナットと、
前記固定板に接続されて、前記Ｕボルトの奥行き方向及び高さ方向に延在すると共に、複数の貫通穴を有する第１取付板と、
躯体側に固定されて、前記Ｕボルトの奥行き方向及び高さ方向に延在すると共に、複数の貫通穴を有する第１支持板と、
前記第１取付板と前記第１支持板の間に配置され、前記第１取付板及び前記第１支持板と共に前記Ｕボルトの幅方向に積層されて、複数の貫通穴を有する第１調整板と、
前記第１取付板の前記貫通穴、前記第１調整板の前記貫通穴、及び前記第１支持板の前記貫通穴に連続的に挿通する複数の第１取付ネジと、
前記複数の第１取付ネジに螺合する複数の第１取付ナットとを備えたことを特徴とする配管支持装置。
【請求項２】
請求項１に記載の配管支持装置において、
前記第１取付板に接続されて、前記Ｕボルトの幅方向及び高さ方向に延在すると共に、複数の貫通穴を有する第２取付板と、
前記第１支持板に接続されて、前記Ｕボルトの幅方向及び高さ方向に延在すると共に、複数の貫通穴を有する第２支持板と、
前記第２取付板と前記第２支持板の間に配置され、前記第２取付板及び前記第２支持板と共に前記Ｕボルトの奥行き方向に積層されて、複数の貫通穴を有する第２調整板と、
前記第２取付板の前記貫通穴、前記第２調整板の前記貫通穴、及び前記第２支持板の前記貫通穴に連続的に挿通する複数の第２取付ネジと、
前記複数の第２取付ネジに螺合する複数の第２取付ナットとを備えたことを特徴とする配管支持装置。
【請求項３】
請求項２に記載の配管支持装置において、
前記第１取付板、前記第１調整板、前記第１支持板、前記第２取付板、前記第２調整板、及び前記第２支持板は、２組であって、前記Ｕボルトの幅方向における前記固定板の一端側と他端側に配置されたことを特徴とする配管支持装置。
【請求項４】
請求項１に記載の配管支持装置において、
２つの貫通穴を有する補強板と、
前記補強板と前記固定板の間に配置され、前記補強板及び前記固定板と共に前記Ｕボルトの高さ方向に積層されて、２つの貫通穴を有する第３調整板とを備え、
前記Ｕボルトの前記一端側のネジ部は、前記補強板の前記貫通穴、前記第３調整板の前記貫通穴、及び前記固定板の前記貫通穴に連続的に挿通し、
前記Ｕボルトの前記他端側のネジ部は、前記補強板の前記貫通穴、前記第３調整板の前記貫通穴、及び前記固定板の前記貫通穴に連続的に挿通したことを特徴とする配管支持装置。
【発明の詳細な説明】
【技術分野】
【０００１】
本発明は、Ｕボルトを用いて配管を支持する配管支持装置に関する。
【背景技術】
【０００２】
配管支持装置において、Ｕボルトを用いて配管を支持するものが知られている。この配管支持装置では、Ｕボルトを配管の外周側に配置し、Ｕボルトの一端側のネジ部及び他端側のネジ部を架台の２つの貫通穴にそれぞれ挿通する。そして、Ｕボルトの一端側のネジ部及び他端側のネジ部に複数の固定ナットを螺合することにより、Ｕボルトを架台に固定する。このとき、配管の熱膨張による軸方向の動きに対応するため、配管とＵボルトの間には所定のギャップを形成している。
【０００３】
特許文献１の配管支持装置では、架台の貫通穴を長穴又はスリットとしている。これにより、Ｕボルトの取付位置の調整が行えるようになっている。
【先行技術文献】
【特許文献】
【０００４】
【特許文献１】特開２００８−２４０９２０号公報
【発明の概要】
【発明が解決しようとする課題】
【０００５】
例えば原子力関連施設では、稼働の前後にて配管の位置が数mm程度変わる場合がある。この場合、Ｕボルトの取付位置の調整を行うことが好ましい。しかしながら、架台が躯体側に溶接されているため、架台を移動させることが容易ではない。かといって、特許文献１のように、架台の貫通穴を長穴又はスリットにすれば、何らかの理由で固定ナットが緩んだ場合にＵボルトが移動するため、支持剛性が損なわれてしまう。
【０００６】
本発明は、上記の事柄に鑑みてなされたものであり、その目的は、支持剛性を損なうことなく、Ｕボルトの取付位置の調整を容易に行うことができる配管支持装置を提供することにある。
【課題を解決するための手段】
【０００７】
上記目的を達成するために、本発明は、Ｕボルトを用いて配管を支持する配管支持装置において、前記Ｕボルトの一端側のネジ部及び他端側のネジ部がそれぞれ挿通する２つの貫通穴を有する固定板と、前記Ｕボルトの前記一端側のネジ部及び前記他端側のネジ部に螺合する複数の固定ナットと、前記固定板に接続されて、前記Ｕボルトの奥行き方向及び高さ方向に延在すると共に、複数の貫通穴を有する第１取付板と、躯体側に固定されて、前記Ｕボルトの奥行き方向及び高さ方向に延在すると共に、複数の貫通穴を有する第１支持板と、前記第１取付板と前記第１支持板の間に配置され、前記第１取付板及び前記第１支持板と共に前記Ｕボルトの幅方向に積層されて、複数の貫通穴を有する第１調整板と、前記第１取付板の前記貫通穴、前記第１調整板の前記貫通穴、及び前記第１支持板の前記貫通穴に連続的に挿通する複数の第１取付ネジと、前記複数の第１取付ネジに螺合する複数の第１取付ナットとを備える。
【発明の効果】
【０００８】
本発明によれば、支持剛性を損なうことなく、Ｕボルトの取付位置の調整を容易に行うことができる。
【図面の簡単な説明】
【０００９】
【図１】本発明の第１の実施形態における配管支持装置の構造を表す上面図である。
【図２】図１中矢印II方向から見た側面図である。
【図３】本発明の第１の実施形態における配管支持装置の構造を表す分解図である。
【図４】本発明の一変形例における配管支持装置の構造を表す側面図である。
【図５】本発明の第２の実施形態における配管支持装置の構造を表す上面図である。
【図６】図４中矢印VI方向から見た側面図である。
【図７】本発明の第２の実施形態における配管支持装置の構造を表す分解図である。
【図８】本発明の第３の実施形態における配管支持装置の構造を表す上面図である。
【図９】図８中矢印IX方向から見た側面図である。
【図１０】本発明の第３の実施形態における配管支持装置の構造を表す分解図である。
【発明を実施するための形態】
【００１０】
本発明の第１の実施形態を、図１〜図３を用いて説明する。図１は、本実施形態における配管支持装置の構造を表す上面図である。図２は、図１中矢印II方向から見た側面図である。図３は、本実施形態における配管支持装置の構造を表す分解図である。
【００１１】
本実施形態の配管支持装置は、Ｕボルト１を用いて配管１００を支持する。この配管支持装置は、Ｕボルト１、固定板２、補強板３Ａ，３Ｂ、取付板４（第１取付板）、支持板５（第１支持板）、及び調整板６（第１調整板）を備えている。
【００１２】
固定板２は、例えば断面Ｌ字形であって、２つの貫通穴７を有している。補強板３Ａは、固定板２の２つの貫通穴７にそれぞれ対応する２つの貫通穴８Ａを有している。同様に、補強板３Ｂは、固定板２の２つの貫通穴７にそれぞれ対応する２つの貫通穴８Ｂを有している。
【００１３】
Ｕボルト１は、配管１００の外周側に配置されている。Ｕボルト１の一端側のネジ部は、まず、固定ナット９Ａが螺合される。そして、補強板３Ａの貫通穴８Ａ、固定板２の貫通穴７、及び補強板３Ｂの貫通穴８Ｂに連続的に挿通し、その後、固定ナット９Ｂが螺合される。同様に、Ｕボルト１の他端側のネジ部は、まず、固定ナット９Ａが螺合される。そして、補強板３Ａの貫通穴８Ａ、固定板２の貫通穴７、及び補強板３Ｂの貫通穴８Ｂに連続的に挿通し、その後、固定ナット９Ｂが螺合される。これにより、Ｕボルト１が固定板２に固定されている。
【００１４】
取付板４は、Ｕボルト１の幅方向（Ｘ方向）における固定板２の一端側（図中左側）に接続されて、Ｕボルト１の奥行き方向（Ｙ方向）及び高さ方向（Ｚ方向）に延在している。支持板５は、例えば溶接によって躯体側（詳細には、柱１０１等）に固定されて、Ｕボルト１の奥行き方向（Ｙ方向）及び高さ方向（Ｚ方向）に延在している。調整板６は、取付板４と支持板５の間に配置され、取付板４及び支持板５と共にＵボルト１の幅方向（Ｘ方向）に積層されている。
【００１５】
取付板４は、複数（本実施形態では４つ）の貫通穴（丸穴）１０を有している。
支持板５は、取付板４の複数の貫通穴１０にそれぞれ対応する複数の貫通穴（丸穴）１１を有している。調整板６は、取付板４の複数の貫通穴１０にそれぞれ対応する複数の貫通穴（丸穴）１２を有している。
【００１６】
複数の取付ボルト１３（第１取付ネジ）は、それぞれ、上述したように支持板５、調整板６、及び取付板４が積層された状態にて、支持板５の貫通穴１１、調整板６の貫通穴１２、及び取付板４の貫通穴１０に連続的に挿通し、その後、取付ナット１４（第１取付ナット）が螺合される。これにより、調整板６を介在しながら、取付板４が支持板５に固定されている。
【００１７】
以上のように構成された本実施形態の配管支持装置では、取付板４と支持板５の間の調整板６を、その厚さが以前とは異なるものに交換するか、若しくは追加することにより、取付板４と支持板５の間隔、すなわち、Ｕボルト１の幅方向（Ｘ方向）の位置を調整することができる。具体的に説明すると、例えば、原子力関連施設の稼働前に、厚さ９mmの調整板６を取り付け、稼働後に、厚さ６mmの調整板６に交換するか、若しくは、厚さ３mmの調整板６を追加することにより、Ｕボルト１の幅方向（Ｘ方向）の位置を３mmだけ動かすことができる。
【００１８】
また、何らかの理由で取付ボルト１３が緩んでも、取付板４等があまり移動しないため、支持剛性を損なわない。したがって、支持剛性を損なうことなく、Ｕボルト１の取付位置の調整を容易に行うことができる。その結果、例えば配管の据え付け作業や、配管とＵボルトの間のギャップの調整作業を効率よく行うことができる。
【００１９】
なお、第１の実施形態においては、特に説明しなかったが、Ｕボルト１の高さ方向の位置を調整してもよい。具体的に説明すると、配管支持装置は、補強板３Ａ，３Ｂを備えなくてもよい。
【００２０】
あるいは、図４で示す変形例のように、配管支持装置は、補強板３Ａ，３Ｂに代えて、補強板３と調整板１５（第３の調整板）を備えてもよい。補強板３は、固定板２の２つの貫通穴７にそれぞれ対応する２つの貫通穴８を有している。調整板１５は、固定板２の２つの貫通穴７にそれぞれ対応する２つの貫通穴１６を有している。
【００２１】
Ｕボルト１の一端側のネジ部は、まず、固定ナット９Ａが螺合される。そして、補強板３の貫通穴８、調整板１５の貫通穴１６、及び固定板２の貫通穴７に連続的に挿通し、その後、固定ナット９Ｂが螺合される。同様に、Ｕボルト１の他端側のネジ部は、まず、固定ナット９Ａが螺合される。そして、補強板３の貫通穴８、調整板１５の貫通穴１６、及び固定板２の貫通穴７に連続的に挿通し、その後、固定ナット９Ｂが螺合される。これにより、Ｕボルト１が固定板２に固定されている。
【００２２】
そして、補強板３と固定板２の間の調整板１５を、その厚さが以前とは異なるものに交換するか、若しくは追加することにより、補強板３と固定板２の間隔、すなわち、Ｕボルト１の高さ方向（Ｚ方向）の位置を調整することができる。
【００２３】
本発明の第２の実施形態を、図５〜図７を用いて説明する。本実施形態は、Ｕボルト１の幅方向、奥行き方向、及び高さ方向の位置を調整可能な実施形態である。なお、本実施形態において、上記実施形態及び変形例と同等の部分は同一の符号を付し、適宜、説明を省略する。
【００２４】
図５は、本実施形態における配管支持装置の構造を表す上面図である。図６は、図５中矢印VI方向から見た側面図である。図７は、本実施形態における配管支持装置の構造を表す分解図である。
【００２５】
本実施形態の配管支持装置は、上記一変形例と同様、Ｕボルト１、固定板２、補強板３、調整板１５、取付板４（第１取付板）、支持板５（第１支持板）、調整板６（第１調整板）を備えている。本実施形態の配管支持装置は、取付板１７（第２取付板）、支持板１８（第２支持板）、及び調整板１９（第２調整板）を更に備えている。
【００２６】
取付板１７は、取付板４と一体成形されるか若しくは溶接されることにより、Ｕボルト１の奥行き方向（Ｙ方向）における取付板４の一端側（図６中上側）に接続されている。取付板１７は、Ｕボルト１の幅方向（Ｘ方向）及び高さ方向（Ｚ方向）に延在している。支持板１８は、支持板５と一体成形されるか若しくは溶接されることにより、Ｕボルト１の奥行き方向（Ｙ方向）における支持板５の一端側（図６中上側）に接続されている。支持板１８は、Ｕボルト１の幅方向（Ｘ方向）及び高さ方向（Ｚ方向）に延在している。調整板１９は、取付板１７と支持板１８の間に配置され、取付板１７及び支持板１８と共にＵボルト１の奥行き方向（Ｙ方向）に積層されている。なお、支持板５，１８は、例えば溶接によって躯体側（詳細には、床１０２等）に固定されている。
【００２７】
取付板１７は、複数（本実施形態では２つ）の貫通穴（丸穴）２０を有している。支持板１８は、取付板１７の複数の貫通穴２０にそれぞれ対応する複数の貫通穴（詳細には、Ｕボルト１の幅方向に長い長穴）２１を有している。調整板６は、取付板４の複数の貫通穴１０にそれぞれ対応する複数の貫通穴（丸穴）２２を有している。なお、本実施形態では、支持板５の貫通穴１１は、Ｕボルト１の奥行き方向に長い長穴としている。
【００２８】
複数の取付ボルト２３（第２取付ネジ）は、それぞれ、上述したように取付板１７、調整板１９、及び支持板１８が積層された状態にて、取付板１７の貫通穴２０、調整板１９の貫通穴２２、及び支持板１８の貫通穴２１に連続的に挿通し、その後、取付ナット２４（第２取付ナット）が螺合される。これにより、調整板１９を介在しながら、取付板１７が支持板１８に固定されている。
【００２９】
以上のように構成された本実施形態の配管支持装置では、取付板１７と支持板１８の間の調整板１９を、その厚さが以前とは異なるものに交換するか、若しくは追加することにより、取付板１７と支持板１８の間隔、すなわち、Ｕボルト１の奥行き方向（Ｙ方向）の位置を調整することができる。
【００３０】
また、上記実施形態及び変形例と同様、取付板４と支持板５の間の調整板６を、その厚さが以前とは異なるものに交換するか、若しくは追加することにより、取付板４と支持板５の間隔、すなわち、Ｕボルト１の幅方向（Ｘ方向）の位置を調整することができる。
【００３１】
また、上記変形例と同様、補強板３と固定板２の間の調整板１５を、その厚さが以前とは異なるものに交換するか、若しくは追加することにより、補強板３と固定板２の間隔、すなわち、Ｕボルト１の高さ方向（Ｚ方向）の位置を調整することができる。
【００３２】
また、本実施形態では、支持板５の貫通穴１１及び支持板１８の貫通穴２１を長穴としている。しかし、何らかの理由で取付ボルト１３又は２３が緩んでも、取付板４，１７等があまり移動しないため、支持剛性を損なわない。したがって、支持剛性を損なうことなく、Ｕボルト１の取付位置の調整を容易に行うことができる。その結果、例えば配管の据え付け作業や、配管とＵボルトの間のギャップの調整作業を効率よく行うことができる。
【００３３】
なお、第２の実施形態においては、支持板５の貫通穴１１及び支持板１８の貫通穴２１を長穴とし、且つ、取付板４の貫通穴１０及び取付板１７の貫通穴２０を丸穴とする場合を例にとって説明したが、これに限られず、本発明の趣旨及び技術思想を逸脱しない範囲内で変形が可能である。例えば、支持板５の貫通穴１１を丸穴とし、且つ、取付板４の貫通穴１０を長穴としてもよいし、あるいは、支持板５の貫通穴１１及び取付板４の貫通穴１０の両方を長穴としてもよい。また、例えば、支持板１８の貫通穴２１を丸穴とし、且つ、取付板１７の貫通穴２０を長穴としてもよいし、あるいは、支持板１８の貫通穴２１及び取付板１７の貫通穴２０の両方を長穴としてもよい。
【００３４】
本発明の第３の実施形態を、図８〜図１０を用いて説明する。なお、本実施形態において、上記実施形態及び変形例と同等の部分は同一の符号を付し、適宜、説明を省略する。
【００３５】
図８は、本実施形態における配管支持装置の構造を表す上面図である。図９は、図８中矢印IX方向から見た側面図である。図１０は、本実施形態における配管支持装置の構造を表す分解図である。
【００３６】
本実施形態の配管支持装置は、第１取付板、第１調整板、第１支持板、第２取付板、第２調整板、及び第２支持板からなる組み合わせを２つ備えている。すなわち、Ｕボルト１の幅方向（Ｘ方向）における固定板２の一端側（図中左側）に配置された取付板４Ａ、調整板６Ａ、支持板５Ａ、取付板１７Ａ、調整板１９Ａ、及び支持板１８Ａと、Ｕボルト１の幅方向（Ｘ方向）における固定板２の他端側（図中右側）に配置された取付板４Ｂ、調整板６Ｂ、支持板５Ｂ、取付板１７Ｂ、調整板１９Ｂ、及び支持板１８Ｂとを備えている。
【００３７】
取付板４Ａ、調整板６Ａ、支持板５Ａ、取付板１７Ａ、調整板１９Ａ、及び支持板１８Ａ等からなる構造は、第２の実施形態の取付板４、調整板６、支持板５、取付板１７、調整板１９、及び支持板１８等からなる構造と同じである。取付板４Ｂ、調整板６Ｂ、支持板５Ｂ、取付板１７Ｂ、調整板１９Ｂ、及び支持板１８Ｂ等からなる構造は、取付板４Ａ、調整板６Ａ、支持板５Ａ、取付板１７Ａ、調整板１９Ａ、及び支持板１８Ａ等からなる構造と線対称である。
【００３８】
以上のように構成された本実施形態の配管支持装置では、例えば、取付板４Ａと支持板５Ａの間の調整板６Ａを、その厚さが以前より所望値だけ増えるものに交換するか若しくは追加すると共に、取付板４Ｂと支持板５Ｂの間の調整板６Ｂを、その厚さが前述した所望値だけ減るものに交換する。あるいは、例えば、取付板４Ｂと支持板５Ｂの間の調整板６Ｂを、その厚さが以前より所望値だけ増えるものに交換するか若しくは追加すると共に、取付板４Ａと支持板５Ａの間の調整板６Ａを、その厚さが前述した所望値だけ減るものに交換する。これにより、取付板４Ａと支持板５Ａの間隔及び取付板４Ｂと支持板５Ｂの間隔、すなわち、Ｕボルト１の幅方向（Ｘ方向）の位置を調整することができる。
【００３９】
また、取付板１７Ａと支持板１８Ａの間の調整板１９Ａと取付板１７Ｂと支持板１８Ｂの間の調整板１９Ｂを、それらの厚さが互いに同じであるものの以前とは異なるものに交換するか、若しくは追加することにより、取付板１７Ａと支持板１８Ａの間隔及び取付板１７Ｂと支持板１８Ｂの間隔、すなわち、Ｕボルト１の奥行き方向（Ｙ方向）の位置を調整することができる。
【００４０】
また、補強板３と固定板２の間の調整板１５を、その厚さが以前とは異なるものに交換するか、若しくは追加することにより、補強板３と固定板２の間隔、すなわち、Ｕボルト１の高さ方向（Ｚ方向）の位置を調整することができる。
【００４１】
したがって、本実施形態においても、第２の実施形態と同様、支持剛性を損なうことなく、Ｕボルト１の取付位置の調整を容易に行うことができる。また、第２の実施形態と比べ、支持剛性を高めることができる。
【符号の説明】
【００４２】
１                      Ｕボルト
２                      固定板
３                      補強板
４，４Ａ，４Ｂ          取付板（第１取付板）
５，５Ａ，５Ｂ          支持板（第１支持板）
６，６Ａ，６Ｂ          調整板（第１調整板）
７                      貫通穴
８                      貫通穴
９Ａ，９Ｂ              固定ナット
１０                    貫通穴
１１                    貫通穴
１２                    貫通穴
１３                    取付ボルト（第１取付ネジ）
１４                    取付ナット（第１取付ナット）
１５                    調整板（第３の調整板）
１６                    貫通穴
１７，１７Ａ，１７Ｂ    取付板（第２取付板）
１８，１８Ａ，１８Ｂ    支持板（第２支持板）
１９，１９Ａ，１９Ｂ    調整板（第２調整板）
２０                    貫通穴
２１                    貫通穴
２２                    貫通穴
２３                    取付ボルト（第２取付ネジ）
２４                    取付ナット（第２取付ナット）
１００                  配管
【図１】
2020023981.tif 000003
【図２】
2020023981.tif 000004
【図３】
2020023981.tif 000005
【図４】
2020023981.tif 000006
【図５】
2020023981.tif 000007
【図６】
2020023981.tif 000008
【図７】
2020023981.tif 000009
【図８】
2020023981.tif 000010
【図９】
2020023981.tif 000011
【図１０】
2020023981.tif 000012